(57)【特許請求の範囲】
【請求項１】
画像データを記録紙に印刷する印刷手段と、
無線タグに対して各種データを書き込み可能な書込手段と、
回線を介して送信された原稿の画像データと、当該画像データの発信元を示す付加データと、を含む受信対象データを受信可能な受信手段と、
前記印刷手段を制御することにより、前記受信手段によって受信した受信対象データに含まれる画像データを記録紙に印刷し、
前記印刷手段を制御することにより、前記受信手段によって受信した受信対象データに含まれる付加データの記録紙に対する印刷を禁止し、前記書込手段を制御することにより、受信した画像データに対応する付加データを、前記画像データを印刷した記録紙の無線タグに書き込む受信制御手段と、を備えることを特徴とする通信装置。
【請求項２】
請求項１記載の通信装置において、
原稿の複写を行う複写機能を備え、
原稿の画像を読み取る読取手段と、
無線タグに書き込まれているデータを読み出す読出手段と、
前記複写機能が選択されたことを判別する第１判別手段と、
前記第１判別手段により、複写機能が選択されたことが判別され、且つ、複写対象原稿が、前記受信対象データに係る画像データが記録された画像部分と、前記受信対象データに係る付加データが書き込まれた無線タグと、を有する記録紙である場合、
前記読取手段により前記画像部分を読み取り、前記読出手段により無線タグに書き込まれている付加データを読み出すように制御し、
更に、前記印刷手段により、前記画像部分を読み取った画像データと、前記読出手段で読み出した付加データと、を、記録紙に印刷するように制御する複写制御手段と、を備えることを特徴とする通信装置。
【請求項３】
請求項２記載の通信装置において、
前記第１判別手段により複写機能が選択されていると判別され、当該複写対象原稿に対応する無線タグが存在している場合に、当該無線タグから付加データを読み出し、前記画像部分に対応する画像データに対して付加するか否かを設定可能な第１設定手段を備えることを特徴とする通信装置。
【請求項４】
請求項２又は３記載の通信装置において、
前記第１判別手段により複写機能が選択されていると判別された場合に、前記画像部分に対応する画像データに対して、前記付加データに基づく画像データを付加する位置を指定可能な詳細設定手段を備えることを特徴とする通信装置。
【請求項５】
請求項４記載の通信装置において、
前記詳細設定手段は、
前記第１判別手段により複写機能が選択されていると判別された場合に、前記付加データに含まれる文字が印刷される際の文字サイズを設定可能であることを特徴とする通信装置。
【請求項６】
請求項１又は２記載の通信装置において、
回線を介して、送信データを送信するファックス送信機能を備え、
原稿の画像を読み取る読取手段と、
無線タグに書き込まれているデータを読み出す読出手段と、
前記ファックス送信機能が選択されたことを判別する第２判別手段と、
回線を介して、送信データを指定された相手先へ送信する送信手段と、
前記第２判別手段により、ファックス送信機能が選択されたことが判別され、且つ、
送信対象原稿が、前記受信対象データに係る画像データが記録された画像部分と、前記受信対象データに係る付加データが書き込まれた無線タグと、を有する記録紙である場合、
前記読取手段により前記画像部分を読み取り、前記読出手段により無線タグに書き込まれている付加データを読み出すように制御し、
更に、前記送信手段により、前記画像部分を読み取った画像データと、前記読出手段で読み出した付加データと、を、予め指定された相手先に送信するように制御する送信制御手段と、を備えることを特徴とする通信装置。
【請求項７】
請求項６記載の通信装置において、
前記送信制御手段は、
当該通信装置が発信元であることを示す自装置付加データを送信するように設定されている場合、前記無線タグから読み出された付加データと共に、前記自装置付加データと、を、前記相手先へ送信することを特徴とする通信装置。
【請求項８】
請求項６又は７記載の通信装置において、
前記第２判別手段によりファックス送信機能が選択されていると判別され、前記送信対象原稿に対応する無線タグが存在している場合に、当該無線タグから付加データを読み出し、前記画像部分に対応する送信対象データに対して、読み出した付加データを付加するか否かを設定可能な第２設定手段と、を備えることを特徴とする通信装置。
【請求項９】
請求項１乃至８記載の何れかに記載の通信装置において、
前記受信手段により受信した受信対象データが、付加データを画像データの一部として含んでいる場合に、当該受信対象データを記録紙に印刷する際には、前記付加データに相当する画像が印刷されないように、当該受信対象データを編集するデータ編集手段と、を備えることを特徴とする通信装置。
【請求項１０】
請求項１乃至９記載の何れかに記載の通信装置において、
少なくとも、相手先を特定しうる番号データと、当該相手先の名称を示す名称データとが、相互に対応付けられて記憶される記憶手段と、
前記付加データに含まれる番号データを検出する検出手段と、
上記検出手段により、前記受信手段で受信した付加データから相手先の番号データを検出した場合に、前記記憶手段を参照し、当該番号データに対応する相手先の名称データを抽出する抽出手段と、
前記抽出手段により相手先の名称データが抽出された場合、前記書込手段を制御し、抽出した名称データを、受信した付加データと共に、無線タグに書き込む書込制御手段と、を備えることを特徴とする通信装置。
【請求項１１】
請求項１乃至１０記載の何れかに記載の通信装置において、
前記受信手段による受信対象データの受信時に、当該ファクシミリ通信に関する通信詳細データを取得する取得手段と、を備え、
前記書込制御手段は、
前記書込手段を制御することにより、前記取得手段により取得された通信詳細データを、前記受信対象データに係る付加データと共に無線タグに書き込むことを特徴とする通信装置。
【請求項１２】
画像データを記録紙に印刷する印刷手段と、無線タグに対して各種データを書き込み可能な書込手段と、回線を介して送信された原稿の画像データと、当該画像データの発信元を示す付加データを含む受信対象データを受信可能な受信手段と、当該受信対象データに関する制御を行う受信制御手段と、を備える通信装置で実行される制御プログラムにおいて、
前記印刷手段を制御し、前記受信手段によって受信した受信対象データに含まれる画像データを、記録紙に印刷するステップと、
前記受信手段によって受信した受信対象データが付加データを含む場合に、前記印刷手段を制御することにより、当該付加データの記録紙に対する印刷を禁止し、前記書込手段を制御することにより、受信した画像データに対応する付加データを、前記画像データを印刷した記録紙の無線タグに書き込むステップと、を前記通信装置に対して実行させるための制御プログラム。
【請求項１３】
請求項１２記載の制御プログラムにおいて、
前記受信手段により受信した受信対象データが、付加データを画像データの一部として含み、且つ、当該受信対象データを記録紙に印刷する場合に、前記付加データに相当する画像が印刷されないように、当該受信対象データを編集するステップと、を前記通信装置に対して実行させるための制御プログラム。
【発明の詳細な説明】
【技術分野】
【０００１】
本発明は、原稿の画像データと、当該画像データの発信元を示す付加データを含むデータを受信可能な通信装置に関し、特に、受信した付加データに関し、適切な情報処理を行い得る通信装置に関する。
【背景技術】
【０００２】
従来、原稿の画像データの送受信を行う通信装置（例えば、ファクシミリ装置）においては、一般的に、当該画像データの送信に際し、当該画像データの発信元を示す付加データを当該画像データと共に送信可能に構成されている。
そして、画像データと付加データとを含むデータを受信すると、データの送信相手先（即ち、データ受信側）の通信装置においては、画像データのみならず、付加データについても共に記録紙に出力されるように構成されている。
【０００３】
この点、受信側の通信装置においては、付加データの出力を希望しない場合（つまり、画像データのみが印刷出力された態様を希望する場合）がある。この受信側の要望に対応した通信装置として、特許文献１記載の通信装置が知られている。
特許文献１記載のファクシミリ装置では、データの送信に先んじて、受信側通信装置から初期識別信号を受信する。データ送信側（発信元）である当該ファクシミリ装置は、この初期識別信号を解析することで、「受信側通信装置が付加データの送信を要求しているか否か」を判断する。そして、当該ファクシミリ装置は、初期識別信号の解析結果（つまり、受信側における付加データ送信要求の有無）に応じて、送信データにおける付加データの有無を決定し、決定された態様の送信データを受信側通信装置に送信する。
【特許文献１】特開平０５−１５３２９７号公報
【０００４】
従って、特許文献１に係る発明によれば、受信側通信装置において、付加データを含むデータを受信した場合には、付加データ、画像データを記録紙に出力することができ、付加データを含まないデータを受信した場合には、受信データを、付加データのない態様で記録紙に出力することができる。つまり、受信側通信装置における初期識別信号の態様を設定することで、受信側通信装置は、付加データに関する出力の有無を、任意に所望の態様に変更することができる。
【発明の開示】
【発明が解決しようとする課題】
【０００５】
上述したように、特許文献１記載のファクシミリ装置は、データ送信時に「付加データの出力を希望しない」初期識別信号を受信した場合、相手先に「付加データ自体」を送信することはない。つまり、受信側通信装置には、当該データ通信に関する「付加データ」が存在しないことになる。このため、特許文献１記載の発明の場合、受信側通信装置において、データ受信時には「発信元等を示す付加データの出力は不要」であったが、後に付加データの出力が必要となった場合（例えば、「発信元」や「送受信の日時」を特定したい場合）に対応することができないという問題点がある。
【０００６】
又、特許文献１記載の発明では、データ送受信における初期識別信号の内容により、「付加データの送信の有無」を決定するため、データの送受信毎に、「付加データの有無」を設定することは困難である。従って、受信側通信装置において、「付加データの送信が不要である旨」の初期識別信号を送信するように設定されている場合に、付加データの出力が必要なデータであるにもかかわらず、付加データを受信しないという事態が生じうる。そして、この場合においても、事後的に付加データを出力することができないので、受信側通信装置において、付加データの要否について十分に対応することができない。
【０００７】
更に、発信元が特許文献１記載のファクシミリ装置でなければ、受信側通信装置において、「付加データの送信の有無」を選択することはできない。つまり、受信側通信装置から「所望の設定に基づく初期識別信号」を発信元に送信したとしても、発信元のファクシミリ装置が「初期識別信号」を認識できなければ、「初期識別信号」とは無関係にデータの送信が行われる。この結果、受信側の希望と異なるデータが発信元から送信され、付加データの有無に関し、受信側の意に沿わない受信データの出力が行われる場合が生じうる。
【０００８】
本発明は、前記従来における問題点を解消するためになされたものであり、原稿の画像データと、当該画像データの発信元を示す付加データを含むデータを受信可能な通信装置及び制御プログラムに関し、特に、受信した付加データに関する適切な情報処理を行うことで利便性を向上させ得る通信装置及び制御プログラムを提供することを目的とする。
【課題を解決するための手段】
【０００９】
前記課題を解決するために成された請求項１に係る通信装置は、画像データを記録紙に印刷する印刷手段と、無線タグに対して各種データを書き込み可能な書込手段と、回線を介して送信された原稿の画像データと、当該画像データの発信元を示す付加データと、を含む受信対象データを受信可能な受信手段と、前記印刷手段を制御することにより、前記受信手段によって受信した受信対象データに含まれる画像データを記録紙に印刷し、前記印刷手段を制御することにより、前記受信手段によって受信した受信対象データに含まれる付加データの記録紙に対する印刷を禁止し、前記書込手段を制御することにより、受信した画像データに対応する付加データを、前記画像データを印刷した記録紙の無線タグに書き込む受信制御手段と、を備えることを特徴とする。
【００１０】
ここで、無線タグとは、非接触でデータの読み書きが可能な記録媒体をいい、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称される記録媒体である。
【００１１】
そして、請求項２記載の通信装置は、請求項１記載の通信装置において、原稿の複写を行う複写機能を備え、原稿の画像を読み取る読取手段と、無線タグに書き込まれているデータを読み出す読出手段と、前記複写機能が選択されたことを判別する第１判別手段と、前記第１判別手段により、複写機能が選択されたことが判別され、且つ、複写対象原稿が、前記受信対象データに係る画像データが記録された画像部分と、前記受信対象データに係る付加データが書き込まれた無線タグと、を有する記録紙である場合、前記読取手段により前記画像部分を読み取り、前記読出手段により無線タグに書き込まれている付加データを読み出すように制御し、更に、前記印刷手段により、前記画像部分を読み取った画像データと、前記読出手段で読み出した付加データと、を、記録紙に印刷するように制御する複写制御手段と、を備えることを特徴とする。
【００１２】
又、請求項３記載の通信装置は、請求項２記載の通信装置において、前記第１判別手段により複写機能が選択されていると判別され、当該複写対象原稿に対応する無線タグが存在している場合に、当該無線タグから付加データを読み出し、前記画像部分に対応する画像データに対して付加するか否かを設定可能な第１設定手段を備えることを特徴とする。
【００１３】
そして、請求項４記載の通信装置は、請求項２又は３記載の通信装置において、前記第１判別手段により複写機能が選択されていると判別された場合に、前記画像部分に対応する画像データに対して、前記付加データに基づく画像データを付加する位置を指定可能な詳細設定手段を備えることを特徴とする。
【００１４】
又、請求項５記載の通信装置は、請求項４記載の通信装置において、前記詳細設定手段は、前記第１判別手段により複写機能が選択されていると判別された場合に、前記付加データに含まれる文字が印刷される際の文字サイズを設定可能であることを特徴とする。
【００１５】
そして、請求項６記載の通信装置は、請求項１又は２記載の通信装置において、回線を介して、送信データを送信するファックス送信機能を備え、原稿の画像を読み取る読取手段と、無線タグに書き込まれているデータを読み出す読出手段と、前記ファックス送信機能が選択されたことを判別する第２判別手段と、回線を介して、送信データを指定された相手先へ送信する送信手段と、前記第２判別手段により、ファックス送信機能が選択されたことが判別され、且つ、送信対象原稿が、前記受信対象データに係る画像データが記録された画像部分と、前記受信対象データに係る付加データが書き込まれた無線タグと、を有する記録紙である場合、前記読取手段により前記画像部分を読み取り、前記読出手段により無線タグに書き込まれている付加データを読み出すように制御し、更に、前記送信手段により、前記画像部分を読み取った画像データと、前記読出手段で読み出した付加データと、を、予め指定された相手先に送信するように制御する送信制御手段と、を備えることを特徴とする。
【００１６】
又、請求項７記載の通信装置は、請求項６記載の通信装置において、前記送信制御手段は、当該通信装置が発信元であることを示す自装置付加データを送信するように設定されている場合、前記無線タグから読み出された付加データと共に、前記自装置付加データと、を、前記相手先へ送信することを特徴とする。
【００１７】
そして、請求項８記載の通信装置は、請求項６又は７記載の通信装置において、前記第２判別手段によりファックス送信機能が選択されていると判別され、前記送信対象原稿に対応する無線タグが存在している場合に、当該無線タグから付加データを読み出し、前記画像部分に対応する送信対象データに対して、読み出した付加データを付加するか否かを設定可能な第２設定手段と、を備えることを特徴とする。
【００１８】
又、請求項９記載の通信装置は、請求項１乃至８記載の何れかに記載の通信装置において、前記受信手段により受信した受信対象データが、付加データを画像データの一部として含んでいる場合に、当該受信対象データを記録紙に印刷する際には、前記付加データに相当する画像が印刷されないように、当該受信対象データを編集するデータ編集手段と、を備えることを特徴とする。
【００１９】
そして、請求項１０記載の通信装置は、請求項１乃至９記載の何れかに記載の通信装置において、少なくとも、相手先を特定しうる番号データと、当該相手先の名称を示す名称データとが、相互に対応付けられて記憶される記憶手段と、前記付加データに含まれる番号データを検出する検出手段と、上記検出手段により、前記受信手段で受信した付加データから相手先の番号データを検出した場合に、前記記憶手段を参照し、当該番号データに対応する相手先の名称データを抽出する抽出手段と、前記抽出手段により相手先の名称データが抽出された場合、前記書込手段を制御し、抽出した名称データを、受信した付加データと共に、無線タグに書き込む書込制御手段と、を備えることを特徴とする。
【００２０】
又、請求項１１記載の通信装置は、請求項１乃至１０記載の何れかに記載の通信装置において、前記受信手段による受信対象データの受信時に、当該ファクシミリ通信に関する通信詳細データを取得する取得手段と、を備え、前記書込制御手段は、前記書込手段を制御することにより、前記取得手段により取得された通信詳細データを、前記受信対象データに係る付加データと共に無線タグに書き込むことを特徴とする。
【００２１】
そして、請求項１２記載の制御プログラムは、画像データを記録紙に印刷する印刷手段と、無線タグに対して各種データを書き込み可能な書込手段と、回線を介して送信された原稿の画像データと、当該画像データの発信元を示す付加データを含む受信対象データを受信可能な受信手段と、当該受信対象データに関する制御を行う受信制御手段と、を備える通信装置で実行される制御プログラムにおいて、前記印刷手段を制御し、前記受信手段によって受信した受信対象データに含まれる画像データを、記録紙に印刷するステップと、前記受信手段によって受信した受信対象データが付加データを含む場合に、前記印刷手段を制御することにより、当該付加データの記録紙に対する印刷を禁止し、前記書込手段を制御することにより、受信した画像データに対応する付加データを、前記画像データを印刷した記録紙の無線タグに書き込むステップと、を前記通信装置に対して実行させることを特徴とする。
【００２２】
又、請求項１３記載の制御プログラムは、請求項１２記載の制御プログラムにおいて、前記受信手段により受信した受信対象データが、付加データを画像データの一部として含み、且つ、当該受信対象データを記録紙に印刷する場合に、前記付加データに相当する画像が印刷されないように、当該受信対象データを編集するステップと、を前記通信装置に対して実行させることを特徴とする。
【発明の効果】
【００２３】
請求項１記載の通信装置によれば、受信手段により受信された受信対象データに含まれる画像データは、印刷手段により記録紙に印刷される。そして、受信対象データに含まれる付加データは、記録紙に対する印刷はなされず、無線タグに書き込まれる。これにより、受信対象データを記録紙に印刷する際に、付加データがない印刷態様での受信対象データの印刷を行うことができる。
更に、当該受信対象データを構成する付加データは、無線タグに書き込まれているため、後に無線タグから当該付加データを読み出し、利用することができる。即ち、請求項１記載の通信装置によれば、付加データの内容が事後的に必要となった場合についても適切に対応することができる。
【００２４】
又、請求項１記載の通信装置は、受信対象データの受信に際し、送信側に対して特別に処理を要求することは無いため、送信側装置に必要以上の機能を要求することはない。つまり、請求項１記載の通信装置は、送信側通信装置の機能を厳格に要求することは無く、多様な通信装置に対応することができる。
【００２５】
請求項２記載の通信装置によれば、受信手段により受信した受信対象データに係る付加データを無線タグに書き込み、当該受信データに係る画像データを印刷した記録紙であっても、複写機能を選択し、当該記録紙を複写することにより、無線タグに書き込まれている付加データを読み出し、当該受信対象データを構成する画像データと共に、付加データを同一の記録紙に印刷することができる。
即ち、請求項２記載の通信装置によれば、事後的に受信対象データに係る付加データが必要となった場合でも、付加データ及び画像データが印刷された記録紙をユーザに提供することができ、利便性の高い通信装置を提供することができる。
【００２６】
請求項３記載の通信装置によれば、複写機能が選択され、当該複写対象原稿に対応する無線タグが存在している場合に、第１設定手段により、当該無線タグから付加データを読み出し、前記画像部分に対応する画像データに対して付加するか否かを設定し得る。
これにより、請求項３記載の通信装置によれば、複写機能が選択されている場合に、無線タグに書き込まれている付加データを読み出して、画像データに付加するか否かを、ユーザが任意に設定することができ、ユーザに利便性を提供することができる。
【００２７】
請求項４記載の通信装置によれば、詳細設定手段により、付加データに基づく画像が記録紙に印刷される位置を設定することができる。即ち、付加データに基づく画像の位置をユーザの任意に設定できるので、当該通信装置は、ユーザが所望する複写結果を得ることができるという利便性を提供することができる。
【００２８】
請求項５記載の通信装置によれば、詳細設定手段により、付加データに含まれる文字が印刷される際の文字サイズを設定することができる。即ち、付加データに含まれる文字の文字サイズをユーザの任意に設定できるので、当該通信装置は、よりユーザが所望する複写結果を得ることができるという利便性を提供することができる。
【００２９】
請求項６記載の通信装置によれば、ファックス送信機能を選択し、受信手段により受信した受信対象データに係る付加データを無線タグに書き込み、当該受信データに係る画像データを印刷した記録紙をファクシミリ送信する場合、当該記録紙の画像部分から画像データを読み取り、無線タグに書き込まれている付加データを読み出す。そして、画像部分を読み取った画像データと、前記読出手段で読み出した付加データとを、予め指定された相手先に送信できる。
これにより、ファックス送信する原稿が、付加データが印刷されていない上記記録紙である場合であっても、他の相手先へ転送する際には、付加データを付加した状態で転送することができる。つまり、転送先（即ち、上記他の相手先）では、画像データのみならず、付加データも印刷された受信結果を得ることができる。
【００３０】
請求項７記載の通信装置によれば、自装置付加データを送信するように設定されている場合、送信制御手段により、無線タグから読み出された付加データと共に、自装置付加データとを相手先へ送信できる。これにより、転送された相手先では、無線タグから読み出された付加データに基づいて、当該ファクシミリデータに係る情報の発信元を特定でき、自装置付加データに基づいて、当該ファクシミリデータに係る情報の送信経路も特定できる。
【００３１】
請求項８記載の通信装置によれば、ファックス送信機能が選択され、送信対象原稿に対応する無線タグが存在している場合に、第２設定手段により、当該無線タグから付加データを読み出し、前記画像部分に対応する送信対象データに対して、読み出した付加データを付加するか否かを設定できる。
これにより、当該通信装置によれば、ファックス送信において、ユーザは、無線タグに書き込まれている付加データの要否を、任意に設定することができ、ユーザに利便性の高い通信装置を提供しうる。
【００３２】
請求項９記載の通信装置によれば、前記受信手段により受信した受信対象データが、付加データを画像データの一部として含んでいる場合に、当該受信対象データを記録紙に印刷する際に、データ編集手段により、前記付加データに相当する画像が印刷されないように、当該受信対象データを編集することができる。
これにより、当該通信装置によれば、付加データに基づく印刷部分が存在しない記録紙を、確実にユーザに提供することができる。
【００３３】
請求項１０記載の通信装置によれば、検出手段により、受信手段で受信した付加データから相手先の番号データを検出した場合に、前記記憶手段を参照し、当該番号データに対応する相手先の名称データを抽出し、当該名称データを無線タグに書き込むことができる。
これにより、受信手段により受信した付加データだけでなく、付加データに対応する相手先の名称データを、記録紙に印刷したり、ファクシミリ送信したりすることが可能となる。
【００３４】
請求項１１記載の通信装置によれば、取得手段により取得された通信詳細データを、前記受信対象データに係る付加データと共に無線タグに書き込むことができる。これにより、受信対象データの受信日時等のファクシミリ送信に係る詳細な情報を、記録紙へ印刷したり、ファクシミリ送信したりすることができ、付加データと共に無線タグに書き込まれている通信詳細データを有効活用することができる。
【００３５】
請求項１２記載の制御プログラムによれば、通信装置を、請求項１記載の通信装置と同様に制御することができる。即ち、受信対象データを記録紙に印刷する際に、付加データがない印刷態様での受信対象データの印刷を行うことができる。
更に、当該受信対象データを構成する付加データは、無線タグに書き込まれているため、後に無線タグから当該付加データを読み出し、利用することができる。この結果、付加データの内容が事後的に必要となった場合についても適切に対応することができる。
【００３６】
請求項１３記載の制御プログラムによれば、請求項９記載の通信装置と同様に、通信装置を制御することができる。即ち、受信手段により受信した受信対象データが、付加データを画像データの一部として含んでいる場合に、当該受信対象データを記録紙に印刷する際に、データ編集手段により、前記付加データに相当する画像が印刷されないように、当該受信対象データを編集することができる。
これにより、付加データに基づく印刷部分が存在しない記録紙を、確実にユーザに提供することができる。
【発明を実施するための最良の形態】
【００３７】
以下、本発明に係る通信装置を、ファクシミリ装置に具体化した実施形態について、図面を参照しつつ詳細に説明する。図１は、本実施形態に係るファクシミリ装置１の模式的な構成を示す断面図である。
図１に示すように、ファクシミリ装置１は、自動原稿送り装置２と、スキャナ部３と、プリンタ部４と、給紙トレイ部５とを有する。
【００３８】
自動原稿送り装置２は、原稿載置部２Ａを備えている。ファクシミリ送信される原稿はこの原稿載置部２Ａに載置される。そして、ユーザによりスタートキー（図示せず）が押下されると、その原稿は１ページずつ送られ、スキャナ部３による画像データの読み取りが行われる。スキャナ部３による読取後、当該原稿は、原稿排出口（図示せず）から排出される。
【００３９】
スキャナ部３は、無線タグリーダ１５と、スキャナ装置２２とを備えている。無線タグリーダ１５は、自動原稿送り装置２により送られてきた原稿に無線タグが付加されていた場合、無線によりその無線タグからデータを読み出す。また、スキャナ装置２２は、無線タグの有無に関わらず、自動原稿送り装置２により送られる原稿の画像データを読み取る。
【００４０】
プリンタ部４は、無線タグライタ１６と、レーザプリンタ３０とを有する。無線タグライタ１６は、給紙トレイ部５から給紙される記録用紙に付加された無線タグに対し、無線によりデータ（後述する付加データ等）を書き込む。
【００４１】
レーザプリンタ３０は、Ｙステーション３１、Ｍステーション３２、Ｃステーション３３、Ｋステーション３４を備えている。Ｙステーション３１には、イエローのトナーが収納されている。同様に、Ｍステーション３２にはマゼンダのトナー、Ｃステーション３３にはシアンのトナー、Ｋステーション３４にはブラックのトナーが収納されている。また、レーザプリンタ３０は、上記各ステーションのトナーを転写ドラム３５に受け渡すための中間転写ベルト３６や、定着用ローラ３７を備えている。そして、レーザプリンタ３０により画像が形成された記録用紙は、排紙スタッカ３９へ排紙される。
【００４２】
給紙トレイ部５は、第１給紙トレイ５１、第２給紙トレイ５２、第３給紙トレイ５３を備えている。そして、第１給紙トレイ５１〜第３給紙トレイ５３には、夫々、検出センサ５４が配設されている。この検出センサ５４は、第１給紙トレイ５１〜第３給紙トレイ５３の夫々に収納された記録用紙における無線タグの有無等を検出する。
【００４３】
次に、本実施形態に係るファクシミリ装置１の制御系構成について、図面を参照しつつ詳細に説明する。図２は、ファクシミリ装置１の制御系構成を示すブロック図である。
ファクシミリ装置１には、ＣＰＵ１１、ＲＯＭ１２、ＲＡＭ１３、フラッシュメモリ１４を備えている。そして、これらは、ネットワーク・コントロール・ユニット（以下、「ＮＣＵ１９」という）等の各種周辺装置と共に、相互にバスライン２５を介して接続されている。
【００４４】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行するものである。ＲＯＭ１２は、このファクシミリ装置１で実行される制御プログラムを格納した書換不能なメモリである。当該ＲＯＭ１２には、後述するファックス受信処理プログラム（図５参照）、通常処理プログラム（図６参照）、コピー処理プログラム（図８参照）、ファックス送信処理プログラム（図１１参照）、受信履歴出力処理プログラム（図１４参照）等の各種制御プログラムが格納されている。
【００４５】
ＲＡＭ１３は、ファクシミリ装置１の各動作の実行時に、各種のデータを一時的に記憶するためのメモリである。当該ＲＡＭ１３は、送信ファクシミリデータ記憶エリア１３１、受信ファクシミリデータ記憶エリア１３２を備えている。
【００４６】
送信ファクシミリデータ記憶エリア１３１は、スキャナ装置２２により読み取られた原稿の画像データ及び無線タグリーダ１５で読み取られた付加データにより構成されるファクシミリデータ６３が格納される記憶エリアである。
尚、この送信ファクシミリデータ記憶エリア１３１は、後述するコピー処理プログラム、ファックス送信処理プログラム、受信履歴出力処理プログラムにおける画像データの編集の際にも使用される。又、ファクシミリデータ６３の構成については、後に図面を参照しつつ詳細に説明する。
【００４７】
受信ファクシミリデータ記憶エリア１３２は、受信したファクシミリデータ６３が一時的に格納される記憶エリアである。この受信ファクシミリデータ記憶エリア１３２は、後述するファックス受信処理プログラムにおける画像データの編集の際に用いられる。
【００４８】
フラッシュメモリ１４は、書換可能な不揮発性のメモリである。そして、フラッシュメモリ１４には、設定データ保存メモリ１４１、電話帳データ記憶エリア１４２、が形成されている。
設定データ保存メモリ１４１には、ファックス受信処理プログラム実行時における無線タグ記録設定データや、コピー処理プログラム実行時におけるコピー設定データや、ファックス送信処理プログラム実行時におけるファックス送信設定データ等の各種設定データが格納される。
【００４９】
無線タグ記録設定データは、ファクシミリデータ６３を受信した際に、当該ファクシミリデータ６３に含まれる付加データを無線タグ７２に記録するか否かを規定するデータである。付加データを無線タグ７２に記録する場合には、「記録設定」を示す情報が設定される。この「記録設定」については後述する。
又、コピー設定データには、各種コピー詳細設定データが含まれている。同様に、ファックス送信設定データにおいても、各種ファックス送信詳細設定データが含まれている。これらの、コピー詳細設定データ、ファックス送信詳細設定データの具体的内容については、後に詳細に説明する。
【００５０】
そして、電話帳データ記憶エリア１４２は、相手先（例えば、送信元装置６０や相手先装置）を識別可能な送信元データ（即ち、電話番号やファクシミリ番号等）が記憶される記憶エリアである。この電話帳データ記憶エリア１４２には、各送信元データ（即ち、ファクシミリ番号）単位で、送信元名称が関連付けられる（図７（ｂ）参照）。そして、ファクシミリ装置１では、電話帳データ記憶エリア１４２に記憶されている送信元データを用いて、ファクシミリ送信時や通話時における相手先への発呼が可能である。
【００５１】
そして、図２に示すように、ファクシミリ装置１は、周辺装置として、ＮＣＵ１９、無線タグリーダ１５、無線タグライタ１６、モデム２０、バッファ２１、スキャナ装置２２、符号化部２３、復号化部２４、レーザプリンタ３０、検出センサ５４、操作パネル１７、ＬＣＤ１８、アンプ２７を備えている。尚、これらの周辺装置も、バスライン２５を介して相互に接続されている。
【００５２】
無線タグリーダ１５は、上述したように、原稿の無線タグに格納されている無線タグデータを読み出す装置である。そして、無線タグライタ１６は、無線タグに対して、無線タグデータを書き込む装置である。
【００５３】
そして、ＮＣＵ１９は、交換機２９に対し回線の接続・切断等の通信制御処理を行う装置である。モデム２０は、ファクシミリデータ６３を変調・復調して伝送すると共に伝送制御用の各種手順信号を送受信する装置である。バッファ２１は、相手側ファクシミリ装置との間で送受信される符号化されたファクシミリデータを含むデータを一時的に格納する記憶手段である。
【００５４】
スキャナ装置２２は、上述したように、自動原稿送り装置２の一部を構成し、原稿載置部２Ａからページ単位で送られる原稿を読み取り、ページ単位の画像データを生成する。スキャナ装置２２により読み取られた画像データは、送信ファクシミリデータ記憶エリア１３１に格納され、所定条件下において画像データの編集がなされる。
【００５５】
符号化部２３は、ファクシミリデータ６３の送信に際し、ファクシミリデータ６３を符号化する部分である。そして、復号化部２４は、バッファ２１に記憶された受信データを読み出し、これを復号化する部分である。
【００５６】
レーザプリンタ３０は、上述したように、第１給紙トレイ５１〜第３給紙トレイ５３に格納された記録紙に対して、復号化部２４で復号化された画像データを印刷する装置である。
そして、検出センサ５４は、第１給紙トレイ５１〜第３給紙トレイ５３に配設されており、各給紙トレイに格納された記録用紙における無線タグの有無を検出するセンサである。
【００５７】
操作パネル１７は、複数の数字キー及び上述したスタートキー等の複数のキーで構成された操作部である。操作パネル１７を構成する各キーの操作が行われると、入力信号がＣＰＵ１１に送信され、入力信号に基づく制御が行われる。例えば、当該操作パネル１７は、ファックス送信の相手先番号（即ち、ファクシミリ番号）を入力する際や、後述する「コピーモード」「ファックス送信モード」「送信履歴出力モード」を選択する際に用いられる。
【００５８】
ＬＣＤ１８は、液晶ディスプレイで構成された表示装置である。当該ＬＣＤ１８には、ＣＰＵ１１による制御に基づいて、ファクシミリ装置１に関する種々の表示が行われる。例えば、ＬＣＤ１８には、モード選択画面（図７（ａ）参照）、電話帳内容表示画面（図７（ｂ）参照）、コピー設定画面（図９参照）、ファックス送信設定画面（図１２参照）等が表示される。
又、アンプ２７には、スピーカ２８が接続され、呼出音などをこのスピーカ２８から出力する。
【００５９】
更に、ファクシミリ装置１は、ＮＣＵ１９、電話回線４１を介して、交換機２９に接続されている。この交換機２９は、電話回線４２を介して、送信元装置側の交換機（図示せず）に接続され、更に電話回線（図示せず）を介して送信元装置（図示せず）に接続されている。従って、ファクシミリ装置１は、電話回線４１、交換機２９、電話回線４２等を介して、送信元装置から送信されるファクシミリデータ６３の受信を行うことができる。
【００６０】
次に、本実施形態に係るファクシミリ装置１におけるファクシミリデータ６３の送受信の概要について、図面を参照しつつ詳細に説明する。図３（ａ）は、ファクシミリ装置１と送信元装置６０との間で行われるファクシミリ送受信に関する説明図である。
尚、この図３（ａ）に示す送信元装置６０は、上述したファクシミリ装置１と同一の構成を有している。
【００６１】
図３（ａ）に示すように、送信元装置６０側のユーザ（以下、送信元ユーザいう）がファクシミリ送信しようとする原稿（以下、送信原稿６１という）には、画像（図形、文字を含む）が形成されている。
そして、送信元ユーザが送信原稿６１を原稿載置部２Ａにセットし、操作パネル１７のスタートキー（図示せず）を操作すると、原稿載置部２Ａにセットされた送信原稿は、１ページずつ、スキャナ部３の読取位置に送られ、各ページ単位の画像データが生成される。
【００６２】
次に、スキャナ部３のスキャナ装置２２により読み取られ、ファクシミリ装置１に送信される１ページ分の送信原稿６１に係るファクシミリデータ６３の構成について、図面を参照しつつ詳細に説明する。図３（ｂ）は、１ページ分の送信原稿６１に係るファクシミリデータ６３のデータ構成を示す説明図である。
【００６３】
上述したように、ファクシミリデータ６３は、１ページ単位の送信原稿６１に基づく画像データ６３ａと、当該ファクシミリデータ６３の送受信に関する各種情報を示す付加データ６３ｂと、を含んで構成されている。上記付加データ６３ｂには、当該ファクシミリデータ６３の送信元である送信元装置６０を示す送信元データ（例えば、ファクシミリ番号）が含まれている。即ち、ファクシミリデータ６３は、スキャナ装置２２で読み取られた画像データ６３ａと、送信元装置６０により当該画像データに付加された付加データ６３ｂとがページ単位で対応付けられて構成されている。
【００６４】
このように構成されたファクシミリデータ６３を送信元装置６０からファクシミリ装置１に送信すると、当該ファクシミリ装置１は、ファクシミリデータ６３に含まれる画像データ６３ａに基づいて、記録用紙７１（図３（ａ）参照）に画像を形成することができる。
尚、ファクシミリデータ６３に含まれる付加データ６３ｂは、ファクシミリ装置１における所定の設定条件の下、記録用紙７１に付加された無線タグ７２に書き込まれる。このファクシミリ装置１における処理については、後に詳細に説明する。
【００６５】
次に、本実施形態に係る無線タグ７２、無線タグリーダ１５、無線タグライタ１６の構成について、図面を参照しつつ詳細に説明する。
【００６６】
先ず、無線タグ７２の構成について説明する。図４（ａ）に示すように、無線タグ７２は、アンテナ用コイル７２１、共振コンデンサ７２２、整流・平滑回路７２３、変復調回路７２４、ＣＰＵ７２５、ＲＯＭ７２６、ＥＥＰＲＯＭ７２７を備えている。
アンテナ用コイル７２１は、共振コンデンサ７２２と並列に接続されて共振回路を構成し、無線タグリーダ１５又は無線タグライタ１６から送信される所定の高周波数の電力用電波振動を受信して、電力用電波信号を整流・平滑回路７２３に供給する。
【００６７】
整流・平滑回路７２３は、動力用電源回路を構成する回路である。そして、整流・平滑回路７２３は、共振回路から送信されてきた電力用電波信号を整流・平滑化して一定電圧の直流電力にしてＣＰＵ７２５等に供給する。
【００６８】
尚、無線タグリーダ１５又は無線タグライタ１６からの送信信号は、電力用電波信号に重畳して送信される。そして、当該送信信号は、変復調回路７２４により復調され、ＣＰＵ７２５に与えられる。
【００６９】
ＣＰＵ７２５は、ＲＯＭ７２６に記憶された動作プログラムに従って動作し、変復調回路７２４からの信号に応じた所定の処理を実行する。即ち、ＣＰＵ７２５は、受信したデータを無線タグデータとしてＥＥＰＲＯＭ７２７に書き込む書込処理や、ＥＥＰＲＯＭ７２７から無線タグデータを読み出し、変復調回路７２４により変調した後、アンテナ用コイル７２１により電波信号として送信する読出処理等を実行する。
【００７０】
尚、当該無線タグ７２において、整流・平滑回路７２３、変復調回路７２４、ＣＰＵ７２５、ＲＯＭ７２６、ＥＥＰＲＯＭ７２７は、ＩＣチップとされ、アンテナ用コイル７２１、共振コンデンサ７２２と共に記録用紙７１に埋め込まれている。
【００７１】
次に、本実施形態に係る無線タグリーダ１５、無線タグライタ１６の構成について、図面を参照しつつ詳細に説明する。図４（ｂ）は、無線タグリーダ１５、無線タグライタ１６の構成を示すブロック図である。
【００７２】
図４（ｂ）に示すように、無線タグリーダ１５は、受信アンテナ用コイル１５１と、受信部１５２を備えて構成されている。従って、無線タグリーダ１５は、無線タグ７２から送信された電波信号を受信アンテナ用コイル１５１で受信できる。そして、無線タグリーダ１５は、受信アンテナ用コイル１５１で受信した電波信号を受信部１５２で復調することで、無線タグデータとして弁別する。これにより、無線タグリーダ１５は、無線タグ７２から無線タグデータ（即ち、付加データ）を読み出すことができる。
【００７３】
一方、無線タグライタ１６は、送信アンテナ用コイル１６１と、送信部１６２を備えて構成されている。従って、無線タグライタ１６は、キャリア信号を送信部１６２で変調して電力用電波信号として送信アンテナ用コイル１６１から送信できる。更に、無線タグライタ１６は、送信すべき無線タグデータを電力用電波信号に重畳するように送信部１６２で変調して送信アンテナ用コイル１６１から送信できる。これにより、無線タグライタ１６は、無線タグ７２に無線タグデータ（即ち、付加データ）を書き込むことができる。
【００７４】
次に、本実施形態に係るファクシミリ装置１のファックス受信処理プログラムについて、図面を参照しつつ詳細に説明する。図５は、ファックス受信処理プログラムのフローチャートである。このファックス受信処理プログラムに基づく処理は、ファクシミリ装置１の起動中において、繰り返し実行される。
【００７５】
ファックス受信処理プログラムの実行が開始されると、先ず、ＣＰＵ１１は、他のファクシミリ装置（送信元装置６０）からファクシミリデータ６３を受信したか否かを判断する。ファクシミリデータ６３を受信した場合（Ｓ１：ＹＥＳ）、ＣＰＵ１１は、Ｓ２に処理を移行する。一方、ファクシミリデータ６３を受信していない場合（Ｓ１：ＮＯ）、ＣＰＵ１１は、そのままファックス受信処理プログラムを終了する。ファックス受信処理プログラムを終了した後、ＣＰＵ１１は、再度ファックス受信処理プログラムを実行する。
【００７６】
Ｓ２に移行すると、ＣＰＵ１１は、当該ファクシミリ装置１の設定データ保存メモリ１４１を参照し、無線タグ記録設定データが「記録設定」であるか否かを判断する。無線タグ記録設定データが「記録設定」である場合（Ｓ２：ＹＥＳ）、ＣＰＵ１１は、Ｓ３に処理を移行する。一方、無線タグ記録設定データが「記録設定」ではない場合（Ｓ２：ＮＯ）、ＣＰＵ１１は、画像データ受信処理（Ｓ１１）に処理を移行する。
【００７７】
Ｓ３においては、ＣＰＵ１１は、検出センサ５４の検出結果に基づいて、無線タグ７２が付加されている記録用紙７１が第１給紙トレイ５１〜第３給紙トレイ５３に存在するか否かを判断する。無線タグ７２が付加されている記録用紙７１が存在する場合（Ｓ３：ＹＥＳ）、ＣＰＵ１１は、送信元データ取得処理（Ｓ４）に処理を移行する。一方、無線タグ７２が付加された記録用紙７１が存在しない場合（Ｓ３：ＮＯ）、ＣＰＵ１１は、画像データ受信処理（Ｓ１１）に処理を移行する。
【００７８】
送信元データ取得処理（Ｓ４）においては、ＣＰＵ１１は、ファックス信号に基づいて、付加データである送信元データ（即ち、ファクシミリ番号）を受信する。ファックス信号から送信元データを取得すると、ＣＰＵ１１は、当該送信元データをＲＡＭ１３に格納し、画像データ受信処理（Ｓ５）に処理を移行する。
ここで、送信元データは、ファクシミリ送信におけるＴＳＩ信号に基づいて取得される。又、送信元装置６０が「ＮＳＳ信号により、自装置の情報を相手先に通信する機能を有する装置」であれば、ファクシミリ装置１は、このＮＳＳ信号に基づき、当該送信元装置６０に係る送信元データを取得することも可能である。
【００７９】
画像データ受信処理（Ｓ５）に移行すると、ＣＰＵ１１は、ファクシミリデータ６３を構成する画像データを受信する。ファクシミリデータ６３を構成する画像データを受信すると、ＣＰＵ１１は、当該画像データを受信ファクシミリデータ記憶エリア１３２に格納し、送信元データ書込処理（Ｓ６）に処理を移行する。尚、この画像データ受信処理（Ｓ５）で受信した画像データには、本実施形態における付加データの内容に相当するような発信元を示すデータが、付加データに基づく画像データの一部として含まれていることもある。この場合については、後に詳述する。
【００８０】
送信元データ書込処理（Ｓ６）に移行すると、ＣＰＵ１１は、先のＳ４で取得した送信元データをＲＡＭ１３から読み出し、無線タグライタ１６により、当該送信元データを記録用紙７１の無線タグ７２に書き込む。
尚、送信元データを無線タグ７２に書き込む際に、ＣＰＵ１１は、当該ファクシミリデータ６３の受信日時を示す受信日時データも無線タグ７２に書き込む。この受信日時データの取得については、既に公知の技術により行いうるものであるため、詳細な説明は省略する。無線タグ７２に送信元データ等を書き込んだ後、ＣＰＵ１１は、Ｓ７に処理を移行する。
【００８１】
Ｓ７に移行すると、ＣＰＵ１１は、電話帳データ記憶エリア１４２を参照し、当該ファクシミリデータ６３の送信元である送信元装置６０が電話帳データ記憶エリア１４２に既に登録されているものであるか否かを判断する。本実施形態においては、電話帳データ記憶エリア１４２に既に登録されている送信元と一致する送信元データを「登録済送信元データ」という。即ち、ＣＰＵ１１は、送信元データ取得処理（Ｓ７）で取得した送信元データが「登録済送信元データ」であるか否かを判断する。
取得した送信元データが「登録済送信元データ」である場合（Ｓ７：ＹＥＳ）、ＣＰＵ１１は、送信元名称書込処理（Ｓ８）に処理を移行する。一方、取得した送信元データが「登録済送信元データ」でない場合（Ｓ７：ＮＯ）、ＣＰＵ１１は、受信データ編集処理（Ｓ９）に処理を移行する。
【００８２】
送信元名称書込処理（Ｓ８）に移行すると、ＣＰＵ１１は、電話帳データ記憶エリア１４２を参照し、先のＳ４で取得した送信元データと一致する送信元に関連付けられている送信元名称を取得する。そして、ＣＰＵ１１は、無線タグライタ１６により、送信元データが記録された無線タグ７２に対して、取得した送信元名称を書き込む。送信元名称を無線タグ７２に書き込んだ後、ＣＰＵ１１は、受信データ編集処理（Ｓ９）に処理を移行する。
こうして無線タグ７２に書き込まれた無線タグデータは、送信元から受信した付加データ（送信元データ）の他、受信日時データや送信元名称等を含んでおり、これらの送信元番号（例えば、ファクシミリ番号）を示すデータや、受信日時を示すデータは、文字に関するコードデータにより構成されている。つまり、無線タグ７２に書き込まれている付加データ等に基づく画像は、文字を示すコードデータに基づいて生成される。
【００８３】
受信データ編集処理（Ｓ９）に移行すると、ＣＰＵ１１は、受信ファクシミリデータ記憶エリア１３２に記憶されているファクシミリデータ６３について画像編集処理を行う。具体的には、ＣＰＵ１１は、ファクシミリデータ６３に係る画像データの内、本実施形態の付加データに相当するような発信元を示すデータが画像データの一部として含まれている可能性があるため、このような画像データが記録紙に印刷されないようにするために、当該画像部分が非印刷状態（即ち、無地）となるように、ファクシミリデータ６３に対する画像編集を行う。受信データ編集処理（Ｓ９）を実行した後、ＣＰＵ１１は、受信データ印刷処理（Ｓ１０）に処理を移行する。
【００８４】
ここで、本実施形態に係る受信データ編集処理（Ｓ９）について説明する。上記したように、付加データ（送信元データ等）に相当するような発信元を示すデータ（以下、画像データ中発信元データという）が予め画像データの一部として送信されてくることがある。その場合、何等の処理も施さなければ、受信データ印刷処理（Ｓ１０）において、画像データが印刷される際に、画像データ中発信元データも一緒に印刷されてしまう。そのため、発信元データが印刷されていない態様の印刷結果を得るためには、この画像データ中発信元データを特定して、印刷しないようにする必要がある。
【００８５】
そこで、受信データ編集処理（Ｓ９）において、画像データ中発信元データに対する編集処理を行う。具体的には、画像データ中発信元データは、通常、記録紙の上端（先頭）に印刷されることが一般的であるため、受信した画像データからその範囲を特定して、その範囲内（例えば、画像データの先頭から数ライン分）に存在する黒データ（黒ドット）を全て白データ（白ドット）に置換する処理を行う。これにより、画像データ中発信元データが印刷されるべき部分が全て白色となるため、画像データの一部として含まれていた発信元を示す画像を非印刷状態に編集することができる。
【００８６】
尚、受信データ編集処理（Ｓ９）における受信データの編集態様は、上記態様に限定するものではなく、種々の態様を採用しうる。例えば、画像データ中発信元データが印刷されるべき所定範囲を全て、白色画像に置換することにより、画像データ中発信元データが印刷されるべき部分を非印刷状態に編集するように構成してもよい。
更に、画像データ中発信元データが印刷されるべき部分に相当する画像データを切り取り、切り取った画像データの大きさに対応する白色画像を当該部分に合成することで、当該部分を非印刷状態に編集するように構成することも可能である。
【００８７】
受信データ印刷処理（Ｓ１０）に移行すると、ＣＰＵ１１は、先ず、受信データ編集処理（Ｓ９）で編集されたファクシミリデータ６３に基づいて、画像データを生成する。そして、ＣＰＵ１１は、レーザプリンタ３０により、当該画像データを記録用紙７１に印刷する。記録用紙７１に対する印刷を終了すると、ＣＰＵ１１は、ファックス受信処理プログラムを終了する。
【００８８】
ここで、上述したように、受信データ編集処理（Ｓ９）により、ファクシミリデータ６３は、画像データ中発信元データに基づく画像部分が非印刷状態となるように編集されている。従って、受信データ編集処理（Ｓ９）で編集されたファクシミリデータ６３を記録用紙７１に印刷すると、画像データ中発信元データに係る印刷はなされず、送信原稿６１に基づく画像のみが印刷されることになる。
又、この場合に得られる出力結果においては、画像データ中発信元データが印刷されない代わりに、付加データとして受信した発信元データ、更には、発信元名称、受信日時のデータが、無線タグ７２に書き込まれている。
【００８９】
一方、無線タグ記録設定データが「記録設定」ではない場合（Ｓ２：ＮＯ）及び無線タグ７２が付加されている記録用紙７１が存在しない場合（Ｓ３：ＮＯ）に移行するＳ１１では、ＣＰＵ１１は、画像データ受信処理を実行する。この画像データ受信処理（Ｓ１１）では、ＣＰＵ１１は、ファクシミリデータ６３を受信する。ファクシミリデータ６３を受信した後、ＣＰＵ１１は、当該ファクシミリデータ６３を受信ファクシミリデータ記憶エリア１３２に格納し、受信データ印刷処理（Ｓ１０）に処理を移行する。
【００９０】
画像データ受信処理（Ｓ１１）を経て、受信データ印刷処理（Ｓ１０）に移行すると、ＣＰＵ１１は、受信ファクシミリデータ記憶エリア１３２に格納されたファクシミリデータ６３に基づいて画像データを生成する。そして、ＣＰＵ１１は、レーザプリンタ３０により、生成した画像データを記録用紙７１に印刷する。記録用紙７１に対する印刷を完了すると、ＣＰＵ１１は、ファックス受信処理プログラムを終了する。
尚、この場合、当該ファクシミリデータ６３は、送信元データ書込処理（Ｓ６）、送信元名称書込処理（Ｓ８）及び受信データ編集処理（Ｓ９）を経ていない。従って、記録用紙７１には、画像データ中発信元データに含まれる受信日時や送信元番号等の文字が印刷される。又、付加データや送信元名称等が、無線タグ７２に書き込まれることもない。つまり、この場合、ファクシミリ装置１では、通常のファクシミリデータ６３の受信及びそれに基づく印刷が実行される。
【００９１】
次に、本実施形態に係るファクシミリ装置１の通常処理プログラムについて、図面を参照しつつ詳細に説明する。図６は、通常処理プログラムのフロ−チャートである。
この通常処理プログラムは、ファクシミリ装置１において、ファックス受信処理プログラムが実行されていない場合に実行されるプログラムである。
【００９２】
通常処理プログラムの実行を開始すると、ＣＰＵ１１は、先ず、モード選択画面（図７（ａ）参照）をＬＣＤ１８に表示する。
図７（ａ）に示すように、モード選択画面には、選択肢「ＦＡＸ送信」、選択肢「コピー」、選択肢「受信履歴出力」が表示される。これら選択肢「ＦＡＸ送信」、選択肢「コピー」、選択肢「受信履歴処理」の選択は、操作パネル１７におけるユーザ操作により行われる。
選択肢「ＦＡＸ送信」は、後述するファックス送信モードに移行する際に選択される選択肢である。そして、選択肢「コピー」は、後述するコピーモードに移行する際に選択される選択肢である。選択肢「受信履歴出力」は、後述する受信履歴出力モードに移行する際に選択される選択肢である。
【００９３】
Ｓ１１においては、ＣＰＵ１１は、「コピーモード」であるか否かについての判断を行う。具体的には、ＣＰＵ１１は、操作パネル１７からの操作信号に基づいて、選択肢「コピー」が選択された否かを判断する。「コピーモード」である場合（Ｓ１１：ＹＥＳ）、ＣＰＵ１１は、コピー処理（Ｓ１２）に処理を移行する。一方、「コピーモード」でない場合（Ｓ１１：ＮＯ）、ＣＰＵ１１は、Ｓ１３に処理を移行する。
【００９４】
コピー処理（Ｓ１２）に移行すると、ＣＰＵ１１は、後述するコピー処理プログラムを実行する。このコピー処理（Ｓ１２）では、前記ファックス受信処理プログラムにより、受信したファクシミリデータ６３を記録した記録用紙を複写する処理が行われる。コピー処理（Ｓ１２）を終了した後、ＣＰＵ１１は、Ｓ１１に処理を戻す。
尚、このコピー処理（Ｓ１２）で実行されるコピー処理プログラムの詳細については、後に図面を参照しつつ詳細に説明する。
【００９５】
Ｓ１３に移行すると、ＣＰＵ１１は、「ファックス送信モード」であるか否かについての判断を行う。具体的には、ＣＰＵ１１は、操作パネル１７からの操作信号に基づいて、選択肢「ＦＡＸ送信」が選択された否かを判断する。「ファックス送信モード」である場合（Ｓ１３：ＹＥＳ）、ＣＰＵ１１は、ファックス送信処理（Ｓ１４）に処理を移行する。一方、「ファックス送信モード」でない場合（Ｓ１３：ＮＯ）、ＣＰＵ１１は、Ｓ１５に処理を移行する。
【００９６】
ファックス送信処理（Ｓ１４）に移行すると、ＣＰＵ１１は、後述するファックス送信処理プログラムを実行する。このファックス送信処理（Ｓ１４）では、送信原稿６１に基づくファクシミリデータ６３を所定の相手先に対してファクシミリ送信する処理が行われる。ファックス送信処理（Ｓ１４）を終了した後、ＣＰＵ１１は、Ｓ１１に処理を戻す。
尚、このファックス送信処理（Ｓ１４）で実行されるファックス送信処理プログラムの詳細については、後に図面を参照しつつ詳細に説明する。
【００９７】
一方、Ｓ１５では、ＣＰＵ１１は、「受信履歴出力モード」であるか否かについての判断を行う。具体的には、ＣＰＵ１１は、操作パネル１７からの操作信号に基づいて、選択肢「受信履歴出力」が選択された否かを判断する。「受信履歴出力モード」である場合（Ｓ１５：ＹＥＳ）、ＣＰＵ１１は、受信履歴出力処理（Ｓ１６）に処理を移行する。一方、「受信履歴出力モード」でない場合（Ｓ１５：ＮＯ）、ＣＰＵ１１は、再びＳ１１に処理を戻す。
【００９８】
受信履歴出力処理（Ｓ１６）に移行すると、ＣＰＵ１１は、後述する受信履歴出力処理プログラムを実行する。この受信履歴出力処理（Ｓ１６）では、受信したファクシミリデータ６３を記録した記録用紙を用いて受信履歴を生成し、生成した受信履歴を出力する処理が行われる。受信履歴出力処理（Ｓ１６）を終了した後、ＣＰＵ１１は、Ｓ１１に処理を戻す。
尚、この受信履歴出力処理（Ｓ１６）で実行される受信履歴出力処理プログラムの詳細については、後に図面を参照しつつ詳細に説明する。
【００９９】
次に、コピー処理（Ｓ１２）で実行されるコピー処理プログラムについて、図面を参照しつつ詳細に説明する。図８は、コピー処理プログラムのフローチャートである。
コピー処理（Ｓ１２）に移行し、コピー処理プログラムの実行を開始すると、ＣＰＵ１１は、先ず、コピー詳細設定処理（Ｓ２１）を実行する。
【０１００】
コピー詳細設定処理（Ｓ２１）においては、ＣＰＵ１１は、先ず、コピー設定画面をＬＣＤ１８に表示すると共に、操作パネル１７における操作に基づいて、複写対象原稿のコピーを生成する際の設定内容を決定する。
尚、複写対象原稿とは、コピーモード設定時に原稿載置部２Ａに載置されている原稿をいう。従って、本実施形態においては、先のファックス受信処理プログラムにより印刷された記録用紙７１を複写対象原稿として用いることができる（図１０（ａ）参照）。この点、付加データ等が書き込まれた無線タグ７２を有し、ファクシミリデータ（画像データ）６３に基づく画像が印刷された記録用紙７１も、複写対象原稿として用いることが可能である（図１０（ｂ）参照）。
【０１０１】
ここで、コピー設定画面について説明すると共に、コピー詳細設定処理（Ｓ２１）で設定しうる設定内容について説明する。図９（ａ）に示すように、コピー設定画面においては、設定項目「付加データ読出」が存在する。この設定項目「付加データ読出」は、複製対象原稿に無線タグ７２が存在する場合に、当該無線タグ７２に書き込まれている付加データ等のデータを読み出すか否かを示す設定項目である。従って、操作パネル１７により、設定項目「付加データ読出」を「ＯＮ」設定にすると、複写対象原稿の無線タグ７２から付加データ等が読み出される。一方、「ＯＦＦ」設定の場合、複写対象原稿に無線タグ７２が存在したとしても、付加データの読み出しは実行されない。
【０１０２】
そして、設定項目「付加データ読出」が「ＯＮ」設定である場合、読み出した付加データ等の取扱いに関する詳細設定を設定することができる。図９（ｂ）に示すように、本実施形態においては、詳細設定項目「印刷位置指定」、詳細設定項目「印刷サイズ」が存在する。
【０１０３】
詳細設定項目「印刷位置」は、複写対象原稿の無線タグ７２から読み出した付加データを印刷する位置を指定する詳細設定項目である。即ち、この詳細設定項目「印刷位置」は、当該複写対象原稿に基づいて印刷される１頁分の記録用紙７１における付加データに基づく画像の位置を指定するものである。
そして、詳細設定項目「印刷位置」の具体的内容としては、「左上」「右上」「左下」「右下」の４種類が存在する。例えば、詳細設定項目「印刷位置」において「左上」を設定した場合、無線タグライタ１６から読み出された付加データに基づく画像は、記録用紙７１の左上部分に印刷される。尚、印刷位置として指定できる内容は、上記の４種類に限定されるものではない。例えば、タッチパネル形式で任意の位置が指定できるように構成してもよい。
【０１０４】
詳細設定項目「印刷サイズ」は、複写対象原稿の無線タグ７２から読み出した付加データを印刷する際に、当該付加データを構成する文字の文字サイズを指定する詳細設定項目である。そして、詳細設定項目「印刷サイズ」の具体的内容としては、「６ｐｔ」「８ｐｔ」「１０ｐｔ」「１１ｐｔ」…等が存在する。例えば、詳細設定項目「印刷サイズ」において「１０ｐｔ」を設定した場合、無線タグライタ１６から読み出された付加データに基づく画像は、付加データを構成する文字が「１０ｐｔ」となるようにサイズ調整されて記録用紙７１に印刷される。
【０１０５】
コピー詳細設定処理（Ｓ２１）において、操作パネル１７の操作により、設定項目や詳細設定項目等を設定すると、ＣＰＵ１１は、設定内容（例えば、「印刷位置：左上」や「印刷サイズ：１０ｐｔ」）を、設定データ保存メモリ１４１に格納する。設定データ保存メモリ１４１に格納した後、ＣＰＵ１１は、コピー詳細設定処理（Ｓ２１）を終了し、Ｓ２２に処理を移行する。
【０１０６】
Ｓ２２に移行すると、ＣＰＵ１１は、複写対象原稿に無線タグ７２が付加されているか否かを判断する。複写対象原稿に無線タグ７２が付加されている場合（Ｓ２２：ＹＥＳ）、ＣＰＵ１１は、Ｓ２３に処理を移行する。例えば、上記ファックス受信処理プログラムにより、受信したファクシミリデータ６３の内、画像データ６３ａを印刷し、当該ファクシミリデータ６３に係る付加データ６３ｂを無線タグ７２に書き込んだ記録用紙７１を複写対象原稿として用いた場合、ＣＰＵ１１は、Ｓ２３に処理を移行する。一方、複写対象原稿に無線タグ７２が付加されていない場合（Ｓ２２：ＮＯ）、ＣＰＵ１１は、原稿画像読取処理（Ｓ２７）に処理を移行する。
【０１０７】
Ｓ２３においては、ＣＰＵ１１は、設定データ保存メモリ１４１を参照し、コピーモードに係る付加データ読出設定が有効であるか否かを判断する。コピーモードに係る設定項目「付加データ読出」が「ＯＮ」設定である場合（Ｓ２３：ＹＥＳ）、ＣＰＵ１１は、付加データ読出処理（Ｓ２４）に処理を移行する。一方、設定項目「付加データ読出」が「ＯＦＦ」設定である場合（Ｓ２３：ＮＯ）、ＣＰＵ１１は、原稿画像読取処理（Ｓ２７）に処理を移行する。
【０１０８】
付加データ読出処理（Ｓ２４）に移行すると、ＣＰＵ１１は、無線タグリーダ１５により、当該複製対象原稿の無線タグ７２に書き込まれている付加データ等を読み出す。そして、読み出した付加データ等をＲＡＭ１３に格納した後、ＣＰＵ１１は、原稿画像読取処理（Ｓ２５）に処理を移行する。
【０１０９】
原稿画像読取処理（Ｓ２５）では、ＣＰＵ１１は、スキャナ装置２２により、当該複写対象原稿に印刷されている画像を読み取り、読み取った画像データを送信ファクシミリデータ記憶エリア１３１に格納する。読み取った画像データを送信ファクシミリデータ記憶エリア１３１に格納した後、ＣＰＵ１１は、付加画像合成処理（Ｓ２６）に移行する。
【０１１０】
付加画像合成処理（Ｓ２６）に移行すると、ＣＰＵ１１は、先ず、ＲＡＭ１３に格納されている付加データ等を読み出し、当該付加データに基づく画像データ（以下、付加画像データという）を生成する。付加画像データを生成する際に、ＣＰＵ１１は、設定データ保存メモリ１４１を参照し、詳細設定「印刷サイズ」の設定内容に基づくサイズとなるように付加画像データを生成する。そして、ＣＰＵ１１は、送信ファクシミリデータ記憶エリア１３１から、複写対象原稿に基づく画像データを読み出し、当該付加画像データと合成することにより、合成画像データを生成する。この合成画像データを生成する際には、ＣＰＵ１１は、設定データ保存メモリ１４１を参照し、詳細設定「印刷位置」に対応する位置に、当該付加画像データを合成する。合成画像データを送信ファクシミリデータ記憶エリア１３１に格納した後、ＣＰＵ１１は、画像印刷処理（Ｓ２８）に処理を移行する。
【０１１１】
複写対象原稿に無線タグ７２が存在しない場合（Ｓ２２：ＮＯ）及び設定項目「付加データ読出」が「ＯＦＦ」設定の場合（Ｓ２３：ＮＯ）に移行するＳ２７においては、ＣＰＵ１１は、原稿画像読取処理を実行する。この原稿画像読取処理（Ｓ２７）では、Ｓ２５と同様に、複写対象原稿に印刷された画像をスキャナ装置２２で読み取り、読み取った画像データを送信ファクシミリデータ記憶エリア１３１に格納する。送信ファクシミリデータ記憶エリア１３１に画像データを格納した後、ＣＰＵ１１は、画像印刷処理（Ｓ２８）に処理を移行する。
【０１１２】
画像印刷処理（Ｓ２８）に移行すると、ＣＰＵ１１は、先ず、送信ファクシミリデータ記憶エリア１３１に格納されている画像データ又は合成画像データを読み出し、レーザプリンタ３０により、記録用紙７１に印刷する。画像データ又は合成画像データを記録用紙７１に印刷した後、ＣＰＵ１１は、コピー処理プログラムを終了する。
【０１１３】
画像印刷処理（Ｓ２８）において、合成画像データに基づく画像が記録用紙７１に印刷されると、当該記録用紙７１には、複写対象原稿に印刷されている画像に加え、付加データに基づく画像が印刷される。一方、画像データに基づく画像が記録用紙７１に印刷されると、複写対象原稿に印刷されている画像のみが印刷される。
即ち、付加データ等が無線タグ７２に書き込まれた記録用紙７１（図１０（ｂ）参照）を複写対象原稿として用いた場合、設定項目「付加データ読出」を「ＯＮ」設定にすることで、複写対象原稿に印刷されていなかった付加データを無線タグ７２から読み出して記録用紙７１に印刷することができる（図１０（ａ）参照）。即ち、ファクシミリ装置１によれば、付加データの内容（受信日時、送信元番号等）が後から必要になった場合にも十分に対応することができる。
【０１１４】
次に、ファックス送信処理（Ｓ１４）で実行されるファックス送信処理プログラムについて、図面を参照しつつ詳細に説明する。図１１は、ファックス送信処理プログラムのフローチャートである。
ファックス送信処理（Ｓ１４）に移行し、ファックス送信処理プログラムの実行を開始すると、ＣＰＵ１１は、先ず、送信詳細設定処理（Ｓ３１）を実行する。
【０１１５】
送信詳細設定処理（Ｓ３１）においては、ＣＰＵ１１は、先ず、ファックス送信設定画面（図１２参照）をＬＣＤ１８に表示すると共に、操作パネル１７における操作に基づいて、送信対象原稿に基づくファクシミリ送信に関する設定内容を決定する。
尚、送信対象原稿とは、ファックス送信モード設定時に原稿載置部２Ａに載置されている原稿をいう。従って、本実施形態においては、先のファックス受信処理プログラムにより印刷された記録用紙７１を送信対象原稿として用いることができる（図１０（ａ）参照）。この点、付加データが書き込まれた無線タグ７２を有し、ファクシミリデータ６３に基づく画像が印刷された記録用紙７１も、送信対象原稿として用いることが可能である（図１０（ｂ）参照）。
【０１１６】
ここで、ファックス送信設定画面について説明すると共に、送信詳細設定処理（Ｓ３１）で設定しうる設定内容について説明する。図１２（ａ）に示すように、ファックス送信設定画面においては、設定項目「付加データ読出」が存在する。この設定項目「付加データ読出」は、送信対象原稿に無線タグ７２が存在する場合に、当該無線タグ７２に書き込まれている付加データ等を読み出すか否かを示す設定項目である。
【０１１７】
そして、設定項目「付加データ読出」が「ＯＮ」設定である場合、送信詳細設定処理（Ｓ３１）では、ファクシミリ送信に関する詳細設定を設定することができる。図１２（ｂ）に示すように、本実施形態においては、詳細設定項目「自装置データ付加」が存在する。
【０１１８】
詳細設定項目「自装置データ付加」は、送信対象原稿に基づくファクシミリ送信に際し、自装置データを付加するか否かを指定する詳細設定項目である。この自装置データは、ファクシミリ送信の送信元である当該ファクシミリ装置１を示す発信元データ、当該ファクシミリ送信の送信元を示す送信元名称データ等を含む付加データである。
尚、この自装置データ及び無線タグ７２から読み出される付加データについても、送信対象原稿を読み取って得られる画像データとは、別のデータとして（例えば、ＮＳＳ信号を用いて）送信することが可能であり、又、画像データの一部として、画像データに含めた状態で送信することも可能である。本実施形態では、画像データに含めて送信する場合を例として説明する。
【０１１９】
送信詳細設定処理（Ｓ３１）において、操作パネル１７の操作により、設定項目や詳細設定項目等を設定すると、ＣＰＵ１１は、設定内容（例えば、「付加データ読出：ＯＮ」や「自装置データ付加：ＯＦＦ」）を、設定データ保存メモリ１４１に格納する。設定データ保存メモリ１４１に格納した後、ＣＰＵ１１は、送信詳細設定処理（Ｓ３１）を終了し、Ｓ３２に処理を移行する。
【０１２０】
Ｓ３２に移行すると、ＣＰＵ１１は、送信対象原稿に無線タグ７２が付加されているか否かを判断する。送信対象原稿に無線タグ７２が付加されている場合（Ｓ３２：ＹＥＳ）、ＣＰＵ１１は、Ｓ３３に処理を移行する。例えば、上記ファックス受信処理プログラムにより、受信したファクシミリデータ６３の内、画像データ６３ａを印刷し、当該ファクシミリデータ６３に係る付加データ６３ｂを無線タグ７２に書き込んだ記録用紙７１を送信対象原稿として用いた場合、ＣＰＵ１１は、Ｓ３３に処理を移行する。一方、送信対象原稿に無線タグ７２が付加されていない場合（Ｓ３２：ＮＯ）、ＣＰＵ１１は、原稿画像読取処理（Ｓ３９）に処理を移行する。
【０１２１】
Ｓ３３においては、ＣＰＵ１１は、設定データ保存メモリ１４１を参照し、ファックス送信モードに係る付加データ読出設定が有効であるか否かを判断する。ファックス送信モードに係る設定項目「付加データ読出」が「ＯＮ」設定である場合（Ｓ３３：ＹＥＳ）、ＣＰＵ１１は、付加データ読出処理（Ｓ３４）に処理を移行する。一方、設定項目「付加データ読出」が「ＯＦＦ」設定である場合（Ｓ３３：ＮＯ）、ＣＰＵ１１は、原稿画像読取処理（Ｓ３９）に処理を移行する。
【０１２２】
付加データ読出処理（Ｓ３４）に移行すると、ＣＰＵ１１は、無線タグリーダ１５により、当該送信対象原稿の無線タグ７２に書き込まれている付加データを読み出す。そして、読み出した付加データをＲＡＭ１３に格納した後、ＣＰＵ１１は、原稿画像読取処理（Ｓ３５）に処理を移行する。
【０１２３】
原稿画像読取処理（Ｓ３５）では、ＣＰＵ１１は、スキャナ装置２２により、当該送信対象原稿に印刷されている画像を読み取り、読み取った画像データを送信ファクシミリデータ記憶エリア１３１に格納する。その後、ＣＰＵ１１は、付加画像合成処理（Ｓ３６）に移行する。
【０１２４】
付加画像合成処理（Ｓ３６）に移行すると、ＣＰＵ１１は、付加データ読出処理（Ｓ３４）で取得した付加データに基づく画像データ（即ち、付加画像データ）を生成する。そして、ＣＰＵ１１は、付加画像データに係る画像を送信対象原稿に係る画像における所定位置に合成した第１合成画像データを生成し、送信ファクシミリデータ記憶エリア１３１に格納する。第１合成画像データを格納した後、ＣＰＵ１１は、Ｓ３７に処理を移行する。
【０１２５】
Ｓ３７に移行すると、ＣＰＵ１１は、設定データ保存メモリ１４１を参照し、ファックス送信モードに係る自装置データ付加設定が有効であるか否かを判断する。ファックス送信モードに係る詳細設定項目「自装置データ付加」が「ＯＮ」設定である場合（Ｓ３７：ＹＥＳ）、ＣＰＵ１１は、自装置データ合成処理（Ｓ３８）に処理を移行する。一方、設定項目「自装置データ付加」が「ＯＦＦ」設定である場合（Ｓ３７：ＮＯ）、ＣＰＵ１１は、データ送信処理（Ｓ３９）に処理を移行する。
【０１２６】
Ｓ３８においては、ＣＰＵ１１は、自装置データ合成処理を実行する。この自装置データ合成処理（Ｓ３８）では、ＣＰＵ１１は、先ず、フラッシュメモリ１４に格納されている自装置番号データ（即ち、当該ファクシミリ装置１のファクシミリ番号）や、送信元名称データから自装置データを生成する。そして、ＣＰＵ１１は、生成した自装置データに基づく画像データ（以下、自装置画像データという）を、第１合成画像データに合成し、第２合成画像データを生成する。第２合成画像データを送信ファクシミリデータ記憶エリア１３１に格納した後、ＣＰＵ１１は、データ送信処理（Ｓ４１）に処理を移行する。
【０１２７】
一方、送信対象原稿に無線タグ７２が存在しない場合（Ｓ３２：ＮＯ）及び設定項目「付加データ読出」が「ＯＦＦ」設定の場合（Ｓ３３：ＮＯ）に移行するＳ３９においては、ＣＰＵ１１は、原稿画像読取処理を実行する。この原稿画像読取処理（Ｓ３９）は、上述した原稿画像読取処理（Ｓ３５）と同様の処理であるため、詳細な説明は省略する。原稿画像読取処理（Ｓ３９）終了後、ＣＰＵ１１は、自装置データ合成処理（Ｓ４０）に処理を移行する。
【０１２８】
自装置データ合成処理（Ｓ４０）に移行すると、ＣＰＵ１１は、先ず、フラッシュメモリ１４を参照し、自装置データを生成する。そして、ＣＰＵ１１は、当該自装置データに基づく自装置画像データを、原稿画像読取処理（Ｓ３９）で取得した画像データに合成し、第３合成画像データを生成する。第３合成画像データを送信ファクシミリデータ記憶エリア１３１に格納した後、ＣＰＵ１１は、データ送信処理（Ｓ４１）に処理を移行する。
【０１２９】
データ送信処理（Ｓ４１）に移行すると、ＣＰＵ１１は、先ず、送信ファクシミリデータ記憶エリア１３１に格納されている合成画像データ（即ち、第１合成画像データ、第２合成画像データ、第３合成画像データの何れか）を読み出し、ファクシミリデータ６３として、所定の相手先装置に対して送信する。データ送信処理（Ｓ４１）の詳細については、既に公知の処理であるため、その説明を省略する。
データ送信処理（Ｓ４１）を終了すると、ＣＰＵ１１は、ファックス送信プログラムを終了する。
【０１３０】
データ送信処理（Ｓ４１）により、第１合成画像データに基づくファクシミリデータ６３をファクシミリ装置１から相手先装置へ送信すると、当該相手先装置では、当該ファクシミリデータ６３に基づく画像が記録用紙７１に印刷される。この場合には、当該記録用紙７１には、「ファクシミリ装置１に対する送信元装置６０」を示す送信元データを含む付加データが印刷される。これにより、相手先装置のユーザは、「当該ファクシミリデータ６３に係る情報の発信元」を把握することができる。
【０１３１】
そして、第２合成画像データに基づくファクシミリデータ６３をファクシミリ装置１から相手先装置へ送信すると、当該相手先装置では、「ファクシミリ装置１に対する送信元装置６０」を示す送信元データを含む付加データと、「ファクシミリ装置１」を示す送信元データを含む付加データが、記録用紙７１に印刷される。これにより、相手先装置のユーザは、「当該ファクシミリデータ６３に係る情報の本来の発信元」と「当該ファクシミリデータ６３に係る情報の伝達経路（中継した発信元）」を把握することができる。
【０１３２】
又、第３合成画像データに基づくファクシミリデータ６３をファクシミリ装置１から相手先装置へ送信すると、当該相手先装置では、「ファクシミリ装置１」を示す送信元データを含む付加データが記録用紙７１に印刷される。これにより、相手先装置のユーザは、今回の通信における「当該ファクシミリデータ６３の送信元」を把握することができる。
【０１３３】
この点について、発信元名称「ＡＡＡ」から送信されたファクシミリデータ６３を、名称「ＹＹＹ」に係る当該ファクシミリ装置１で受信し、当該ファクシミリデータ６３が印刷された記録用紙７１を送信対象原稿として用い、ファクシミリ装置１から、更に別の装置に送信する場合を具体例として説明する。
【０１３４】
この場合において、第１合成画像データに基づくファクシミリデータ６３を相手先装置に送信すると、当該相手先装置では、発信元名称「ＡＡＡ」を含む付加データ（即ち、図１３（ａ）中「XXX-4567 AAA 12:35:15 2007/6/6」）が、記録用紙７１に記録される（図１３（ａ）参照）。これにより、相手先装置のユーザは、当該ファクシミリデータ６３に係る情報の発信元が、発信元名称「ＡＡＡ」であることを把握できる。
【０１３５】
そして、上記具体例において、第２合成画像データに基づくファクシミリデータ６３を相手先装置に送信すると、当該相手先装置では、第２合成画像データに基づく画像が記録用紙７１に印刷される。この場合に、記録用紙７１には、発信元名称「ＡＡＡ」を含む付加データ（即ち、図１３（ｂ）中「XXX-4567 AAA 12:35:15 2007/6/6」）と、当該ファクシミリ装置１を示す自装置データ（即ち、図１３（ｂ）中「VVV-9876 YYY 19:10:10 2007/6/8」）が印刷される（図１３（ｂ）参照）。これにより、相手先装置のユーザは、当該ファクシミリデータ６３に係る情報の本来の発信元が、発信元名称「ＡＡＡ」であり、発信元名称「ＹＹＹ」を経由して伝達されたことを把握できる。
【０１３６】
次に、受信履歴出力処理（Ｓ１６）で実行される受信履歴出力処理プログラムについて、図面を参照しつつ詳細に説明する。図１４は、受信履歴出力処理プログラムのフロ−チャートである。
【０１３７】
この受信履歴出力処理プログラムは、上述したファックス受信処理プログラムにおいて、無線タグ７２に付加データ等が書き込まれた記録用紙７１を利用して、ファクシミリ送信における受信履歴の一覧を出力するためのプログラムである（図１５参照）。
従って、受信履歴出力処理プログラムの説明に際し、ファクシミリ装置１の原稿載置部２Ａには、ファクシミリ装置１において受信した記録用紙７１が載置されているものとする。そして、原稿載置部２Ａに載置された記録用紙７１には、少なくとも、ファクシミリ送信における付加データが書き込まれた無線タグ７２を有する記録用紙７１が含まれているものとする。
【０１３８】
受信履歴出力処理（Ｓ１６）に移行し、受信履歴出力処理プログラムの実行を開始すると、ＣＰＵ１１は、先ず、対象記録用紙に無線タグ７２が存在するか否かを判断する（Ｓ５１）。ここで、対象記録用紙は、受信履歴を生成する際に判断対象となる１ページの記録用紙７１をいい、原稿載置部２Ａに載置されている記録用紙７１は、順次「対象記録用紙」となる。対象記録用紙に無線タグ７２が存在する場合（Ｓ５１：ＹＥＳ）、ＣＰＵ１１は、付加データ読出処理（Ｓ５２）を実行する。一方、対象記録用紙に無線タグ７２が存在しない場合（Ｓ５１：ＮＯ）、ＣＰＵ１１は、Ｓ５３に処理を移行する。
【０１３９】
付加データ読出処理（Ｓ５２）に移行すると、ＣＰＵ１１は、無線タグリーダ１５により、対象記録用紙に係る無線タグ７２から、書き込まれている付加データを読み出す。そして、ＣＰＵ１１は、読み出した付加データをＲＡＭ１３に格納する。付加データをＲＡＭ１３に格納した後、ＣＰＵ１１は、Ｓ５３に処理を移行する。
【０１４０】
Ｓ５３においては、ＣＰＵ１１は、原稿載置部２Ａに載置された記録用紙の全てについて、無線タグ７２の有無に係る判断（Ｓ５１）、付加データの読出（Ｓ５２）を完了したか否かについての判断を行なう。即ち、ＣＰＵ１１は、原稿載置部２Ａに記録用紙がなくなったか否かを判断する。全ての記録用紙に対する処理が完了している場合には（Ｓ５３：ＹＥＳ）、ＣＰＵ１１は、受信履歴データ生成処理（Ｓ５４）に処理を移行する。一方、全ての記録用紙に対する処理が完了していない場合（Ｓ５３：ＮＯ）、ＣＰＵ１１は、Ｓ５１に処理を戻す。これにより、新たな記録用紙が対象記録用紙となり、ＣＰＵ１１は、当該新たな対象記録用紙に係る無線タグの有無（Ｓ５２）、付加データの読出（Ｓ５３）を行いうる。
【０１４１】
Ｓ５４に移行すると、ＣＰＵ１１は、受信履歴データ生成処理を実行する。受信履歴データ生成処理では、ＣＰＵ１１は、付加データ読出処理（Ｓ５２）によりＲＡＭ１３に格納されている付加データを用いて、受信履歴データを生成する。
例えば、Ｓ５１〜Ｓ５３の処理において、ＲＡＭ１３に複数の付加データが格納されている場合、ＣＰＵ１１は、付加データに含まれる受信日時データを夫々参照する。そして、各受信日時データの示す受信日時に沿って、付加データの並び順を変更し、複数の付加データで構成された受信履歴データを生成する。
生成した受信履歴データをＲＡＭ１３に格納した後、ＣＰＵ１１は、受信履歴印刷処理（Ｓ５５）へ処理を移行する。
【０１４２】
受信履歴印刷処理（Ｓ５５）に移行すると、ＣＰＵ１１は、ＲＡＭ１３に格納されている受信履歴データを読み出し、レーザプリンタ３０により、当該受信履歴データを記録用紙７１に印刷する（図１５参照）。
これにより、ファクシミリ装置１によれば、受信履歴出力処理プログラムを実行することにより、ユーザは、ファクシミリ装置１で受信したファクシミリデータ６３の詳細（例えば、受信日時、送信元番号、送信元名称等）を把握することができ、ファクシミリ送信に係る受信管理を確実に行うことができる。
【０１４３】
以上説明したように、本実施形態に係るファクシミリ装置１によれば、ファクシミリデータ６３を受信した際に、付加データ６３ｂに基づく印刷（例えば、送信元名称や送信元番号、受信日時等の文字の印刷）を行わず、画像データ６３ａに基づく画像を記録用紙７１に印刷することができる。即ち、当該ファクシミリ装置１は、「付加データに係る印刷がなされていない印刷結果物（図１０（ｂ）参照）」を提供することができる。従って、当該ファクシミリ装置１は、受信データの印刷結果に送信元の情報が印刷されることを好まないユーザにとって、非常に使い勝手の良いものとなる。
【０１４４】
そして、ファクシミリ装置１では、受信したファクシミリデータ６３を記録用紙７１に印刷する前に、受信データ編集処理（Ｓ９）において、当該ファクシミリデータ６３に対する画像編集を行い、付加データに相当するような発信元を示すデータが画像データの一部として含まれている場合、そのような画像が印刷されるべき部分を非印刷状態とする。即ち、ファクシミリ装置１は、受信データ編集処理（Ｓ９）を実行することにより、確実に「発信元を示す付加データに係る印刷がなされていない記録用紙７１（図１０（ｂ）参照）」をユーザに提供することができる。
【０１４５】
又、記録用紙７１に印刷されなかった付加データは、当該記録用紙７１の無線タグ７２に書き込まれる。つまり、当該ファクシミリ装置１によれば、このファクシミリ通信に係る付加データを、無線タグ７２から読み出すことで、事後的に必要になった場合等において利用することができる。
【０１４６】
そして、ファクシミリ装置１は、ファクシミリデータ６３の受信に際し、送信側に対して何ら処理を要求することは無いため、送信元装置６０に必要以上の機能を要求することはない。つまり、ファクシミリ装置１は、送信元装置６０が有する機能を厳格に要求することは無く、多様な送信元装置６０からのファクシミリ送信に対応することができる。
【０１４７】
ファクシミリ装置１において、無線タグ７２が付加された記録用紙７１を複写対象原稿とし、「コピーモード」を選択・実行した場合には、無線タグ７２に書き込まれている付加データを読み出し、スキャナ装置２２で読み取った複写対象原稿に係る画像データと共に、他の記録用紙７１に印刷することができる。これにより、ユーザは、受信したファクシミリデータ６３に係る画像データ及び付加データに係る印刷がなされた記録用紙７１を取得できる。即ち、ファクシミリ装置１によれば、付加データに係る情報（送信元番号、送信元名称、受信日時等）が印刷された印刷結果が事後的に必要となった場合、ユーザの要望に対応することが可能となる。
【０１４８】
又、当該「コピーモード」においては、設定項目「付加データ読出」を設定することにより、無線タグ７２から付加データを読み出し、当該付加データを記録用紙７１に印刷するか否かを設定することができる。これにより、ファクシミリ装置１は、複写対象原稿を単純に複写する場合と、複写対象原稿の画像に、付加データに係る画像を付加して複写する場合を、ユーザが任意に設定することができ、「複写態様の選択」という利便性を提供できる。
【０１４９】
更に、当該「コピーモード」では、詳細設定項目「印刷位置」、詳細設定項目「印刷サイズ」を設定することで、付加データに係る画像の印刷位置や、付加データを構成する文字のサイズをユーザが任意に設定することができる。これにより、当該ファクシミリ装置１は、ユーザ所望の複写態様で印刷された印刷結果物を提供することができ、「複写態様の多様性」という利便性を提供することができる。
【０１５０】
そして、ファクシミリ装置１において、無線タグ７２が付加された記録用紙７１を送信対象原稿とし、「ファックス送信モード」を選択・実行した場合（即ち、受信したファクシミリデータ６３に係る情報を、他の通信装置に対して転送する場合）、無線タグ７２から付加データを読み出し、付加データに基づく画像と、送信対象原稿から取得した画像と合成したファクシミリデータを当該他の通信装置に送信できる。
これにより、当該他の装置では、送信対象原稿における画像と共に、「ファクシミリ装置１から送信したファクシミリデータに係る情報の本来の発信元」を示す付加データの内容が記録用紙に印刷される。即ち、ファクシミリ装置１は、当該他の装置のユーザに、「ファクシミリ装置１から送信したファクシミリデータに係る情報の発信元」を通知し得る（図１３（ａ）参照）。
【０１５１】
又、当該「ファックス送信モード」においては、設定項目「付加データ読出」を設定することにより、無線タグ７２から付加データを読み出し、送信対象原稿に係るファクシミリデータ６３に対して、当該付加データに係る画像を合成するか否かを設定できる。これにより、ファクシミリ装置１は、複写対象原稿に基づくファクシミリデータを単純に送信する場合と、複写対象原稿の画像に、当該付加データに係る画像を合成したファクシミリデータ６３を送信する場合を、ユーザが任意に設定することができ、「ファクシミリ送信の送信態様の選択」という利便性を提供できる。
【０１５２】
更に、当該「ファックス送信モード」では、詳細設定項目「自装置データ付加」を設定することで、送信対象原稿から取得した画像に対して、無線タグから読み出された付加データに基づく画像と、自装置データに基づく画像を合成したファクシミリデータ６３を他の通信装置へ送信できる。
これにより、当該他の装置では、送信対象原稿における画像と共に、「ファクシミリ装置１から送信したファクシミリデータに係る情報の本来の発信元」を示す付加データの内容と、「ファクシミリデータに係る情報を中継した送信元」を示す自装置データの内容が記録用紙に印刷される。即ち、ファクシミリ装置１は、当該他の装置のユーザに、「ファクシミリデータに係る情報の本来の発信元」と、「当該ファクシミリデータに係る情報の伝達経路（中継した発信元）」を通知し得る（図１３（ｂ）参照）。
【０１５３】
そして、ファクシミリ装置１によれば、受信したファクシミリデータ６３の送信元が電話帳データ記憶エリア１４２に登録されている場合（Ｓ７：ＹＥＳ）、当該送信元の名称を示す送信元名称データを、電話帳データ記憶エリア１４２から取得し、無線タグ７２に書き込むことができる。これにより、通常、送信元から送られてくる付加データとしての送信元番号だけでなく、その送信元番号に関連する送信元名称についても、無線タグ７２に書き込んでおき、後で読み出して、記録用紙７１に印刷したり、ファクシミリ送信時に利用したりすることができる。
【０１５４】
更に、ファクシミリ装置１によれば、ファクシミリデータの受信に際し、送信元データ書込処理（Ｓ６）において、受信日時データを取得し、当該受信日時データを無線タグ７２に書き込むことができる。これにより、送信元番号だけでなく、受信日時等のファクシミリ送信に係る通信の詳細な情報についても、無線タグ７２に書き込んでおき、後で読み出して、記録用紙７１に印刷したり、ファクシミリ送信時に利用したりすることができる。
【０１５５】
又、ファクシミリ装置１によれば、「受信履歴出力モード」において、付加データが無線タグ７２に書き込まれた記録用紙７１を用いることで、当該付加データを用いた受信履歴データを生成し、これを他の記録用紙７１に印刷出力することができる。これにより、ファクシミリ装置１のユーザは、受信履歴を把握することができ、ファクシミリ送信に関する通信作業を適切に管理することができる。
この点、ファクシミリ装置１によれば、受信履歴に係る記憶内容が不慮の事故等により消失してしまった場合であっても、上記「受信履歴出力モード」により、消失してしまった受信履歴を復元でき、高い利便性を提供することができる。
【０１５６】
以上、実施形態に基づき本発明を説明したが、本発明は上述した実施形態に何ら限定されるものではなく、本発明の趣旨を逸脱しない範囲内で種々の改良変更が可能である。
例えば、受信データ編集処理（Ｓ９）における編集態様は、本実施形態において説明した態様に限定されるものではなく、種々の態様を採用し得る。例えば、当該ファクシミリデータ６３における画像データ中発信元データに相当する部分の画像を切除する編集態様であってもよい。この編集態様であっても、記録用紙７１には、画像データ中発信元データに係る画像は印刷されない。
【０１５７】
又、本実施形態においては、「コピーモード」における詳細設定項目「印刷サイズ」を、付加データを構成する文字を印刷した際の文字サイズにより設定するように構成しているが、この態様に限定するものではない。例えば、付加データに基づく画像が印刷される印刷領域のサイズを設定するように構成してもよい。この場合には、当該付加データに基づく画像は、設定された印刷領域のサイズに応じて拡大・縮小され、記録用紙７１に印刷される。
【０１５８】
更に、本実施形態においては、「受信履歴出力モード」では、生成した受信履歴データを記録用紙７１に印刷する態様で出力しているが、この態様に限定されるものではない。例えば、当該受信履歴データを、ファクシミリ装置１のＬＣＤ１８に表示する表示出力を行うことも可能である。又、生成した受信履歴データをフラッシュメモリ１４に格納してもよい。この場合、フラッシュメモリ１４に格納された受信履歴データは、事後的に、記録用紙７１への印刷やＬＣＤ１８への表示に用いることができる。即ち、フラッシュメモリ１４に受信履歴データを格納することで、ファクシミリ装置１に記憶されていた受信履歴が過誤により消失した場合であっても、消失した受信履歴を復元することが可能となる。
【図面の簡単な説明】
【０１５９】
【図１】本実施形態に係るファクシミリ装置の模式的な断面図である。
【図２】ファクシミリ装置の制御系構成を示すブロック図である。
【図３】（ａ）は、本実施形態に係るファクシミリ装置によるファクシミリ受信を模式的に示す図であり、（ｂ）は、１ページ分のファクシミリデータを模式的に示す図である。
【図４】（ａ）は、無線タグの構成を示すブロック図であり、（ｂ）は、無線タグリーダ及び無線タグライタの構成を示すブロック図である。
【図５】ファックス受信処理プログラムのフローチャートである。
【図６】通常処理プログラムのフローチャートである。
【図７】（ａ）は、本実施形態におけるモード選択画面の表示例であり、（ｂ）は、本実施形態における電話帳内容表示画面の表示例である。
【図８】コピー処理プログラムのフローチャートである。
【図９】本実施形態におけるコピー設定画面の表示例である。
【図１０】ファックス受信処理プログラムにより印刷等がなされた記録用紙に関する説明図である。
【図１１】ファックス送信処理プログラムのフローチャートである。
【図１２】本実施形態におけるファックス送信設定画面の表示例である。
【図１３】ファックス送信処理プログラムにより送信されたファクシミリデータが相手先装置で印刷された場合の記録用紙に関する説明図である。
【図１４】受信履歴出力処理プログラムのフローチャートである。
【図１５】受信履歴出力処理の概略を示す説明図である。
【符号の説明】
【０１６０】
１      ファクシミリ装置
３      スキャナ部
１１    ＣＰＵ
１２    ＲＯＭ
１３    ＲＡＭ
１４    フラッシュメモリ
１５    無線タグリーダ
１６    無線タグライタ
１７    操作パネル
１９    ＮＣＵ
２０    モデム
２１    バッファ
２２    スキャナ装置
３０    レーザプリンタ
７１    記録用紙
７２    無線タグ
１４２  電話帳データ記憶エリア
【図１】
0004893522.tif 000002
【図２】
0004893522.tif 000003
【図３】
0004893522.tif 000004
【図４】
0004893522.tif 000005
【図５】
0004893522.tif 000006
【図６】
0004893522.tif 000007
【図７】
0004893522.tif 000008
【図８】
0004893522.tif 000009
【図９】
0004893522.tif 000010
【図１０】
0004893522.tif 000011
【図１１】
0004893522.tif 000012
【図１２】
0004893522.tif 000013
【図１３】
0004893522.tif 000014
【図１４】
0004893522.tif 000015
【図１５】
0004893522.tif 000016